(57)【特許請求の範囲】
【請求項１】
ケース本体（１０）と蓋体（１１）とからなっていて、前面に出入口（１２）が開口しており、
ケース本体（１０）は、四角形状の底壁（１４）と、底壁（１４）の左右端から立設した側壁（１５）と、底壁（１４）の後端から立設した背壁（１６）とを有して、前面および上面が開口する薄形角箱形状に形成してあり、
蓋体（１１）は、ケース本体（１０）の上面開口（１７）を開閉する上壁（１８）と、上壁（１８）の左右端寄りからケース本体（１０）の側壁（１５）の内側に向けて垂設された側壁（１９）とを有し、
ディスクカートリッジ（１）の左右側壁の前端寄りの外側面に、位置決め用の凹部（６）が設けられており、
蓋体（１１）の左右側壁（１９）の内側の後端寄り部位には、前記凹部（６）に弾性変形して係脱自在に係合する弾性突起（３０）を有するロック体（２６）が組み付けられており、
ケース本体（１０）の側壁（１５）の内側と、蓋体（１１）の側壁（１９）の外側とには、一方に前後方向に長いガイド溝（２２）を、他方にガイド溝（２２）に前後摺動自在に係合するスライド軸（２１）をそれぞれ設けてあり、
ケース本体（１０）と蓋体（１１）とが、スライド軸（２１）とガイド溝（２２）とを介して枢支連結されており、
ケース本体（１０）の左右側壁（１５）と、これの内側に位置する蓋体（１１）の左右側壁（１９）との間に、融通隙間（Ｇ）がそれぞれ形成されており、
ロック体（２６）は、平板状の基部（２９）に弾性突起（３０）を一体にプラスチック成形してなり、
蓋体（１１）の左右側壁（１９）に、これの外側からそれぞれ一対のロック体（２６）が組み付けられていて、ロック体（２６）の基部（２９）が前記融通隙間（Ｇ）内において該側壁（１９）の外側面に当て付けられており、弾性突起（３０）が該側壁（１９）の内方に突出しており、
ケース本体（１０）の背壁（１６）の左右端と側壁（１５）の後端との間に、蓋体（１１）の側壁（１９）をロック体（２６）と共に後方外部へ通過させるためのスリット（２３）が形成されており、
蓋体（１１）を後方にスライドさせることにより、蓋体（１１）がケース本体（１０）に対してスライド軸（２１）まわりに上開き回動可能であり、
ロック体（２６）の弾性突起（３０）は、その内端（３０ａ）がケース本体（１０）の背壁（１６）の前記スリット（２３）に臨む側端縁（１６ａ）に接当干渉しないよう内向き突出量を寸法設定してあるディスクカートリッジ用の収納ケース。
【請求項２】
蓋体（１１）の上壁（１８）の後端左右に、前記スリット（２３）を閉合する部分背壁（２５）が垂設されており、
部分背壁（２５）の左右幅寸法（ａ）よりもロック体（２６）の左右幅寸法（ｂ）が小さく寸法設定されている請求項１記載のディスクカートリッジ用の収納ケース。  
【発明の詳細な説明】
【０００１】
【発明の属する技術分野】
本発明は、音や映像の信号あるいはコンピュータ情報等の記憶媒体である光ディスクあるいは光磁気ディスクなどをハードケース内に内蔵してあるディスクカートリッジにおいて、これを収納する収納ケースに関する。
【０００２】
【従来の技術】
たとえば、図９に示すように直径6.４cmの光磁気ディスク４０を薄い角箱状のハードケース４１に内蔵した、いわゆるミニディスク（以下、単にＭＤという）があり、かかるディスクカートリッジ４２を収納するための薄い角箱状の収納ケースが実用化されている。この収納ケースは、上ケース４３と下ケース４４とを一体的に圧嵌連結することで、ディスクカートリッジ４２の出入口４５が前面側に開口するブックケース形に形成されている。収納ケースの内奥端寄りには、弾性を有する左右一対のロック体４６を組み込んであり、ディスクカートリッジ４２の左右側壁の前端寄りに位置決め用の凹部４７を設け、この凹部４７を前記ロック体４６に係合させることで、ディスクカートリッジ４２が出入口４５から不用意に抜け出るのを防止している。かかる収納ケースによれば、ディスクカートリッジ４２を出入口４５から差し込み装填し、またディスクカートリッジ４２をロック体４６の弾性力に抗して出入口４５から抜き出すことで、ディスクカートリッジ４２の出し入れが行える。
【０００３】
【発明が解決しようとする課題】
しかしながら、従来の収納ケースは薄箱形状でコンパクトである反面、出入口４５の上下間隔が５〜６mm程度と小さいため、ディスクカートリッジ４２を出し入れし難い。ましてや、ディスクカートリッジ４２をインデックスカードと共に入れることが容易ではなかった。
【０００４】
本発明の目的は、ケース本体に対し蓋体を一旦、後方にスライド操作したのち上開き開放できるようにすることで、ブックケース形の薄形角箱形状でありながら、ＭＤのような小さいディスクカートリッジでも容易に出し入れできる収納ケースを提供することにある。本発明の目的は、ディスクカートリッジと一緒にインデックスカードも容易に収納できる収納ケースを提供することにある。本発明の目的は、ケース本体に対し蓋体をロック体ごと円滑に開閉できる収納ケースを提供することにある。
【０００５】
【課題を解決するための手段】
本発明の収納ケースは、図２および図３に示すごとくケース本体１０と蓋体１１とからなっていて、前面に出入口１２が開口している。ケース本体１０は、四角形状の底壁１４と、底壁１４の左右端から立設した側壁１５と、底壁１４の後端から立設した背壁１６とを有して、前面および上面が開口する薄形角箱形状に形成されている。蓋体１１は、ケース本体１０の上面開口１７を開閉する上壁１８と、上壁１８の左右端寄りからケース本体１１の側壁１５の内側に向けて垂設された側壁１９とを有する。ディスクカートリッジ１の左右側壁の前端寄りの外側面には、位置決め用の凹部６が設けられており、蓋体１１の側壁１９の内側の後端寄り部位に、前記凹部６に弾性変形して係脱自在に係合する弾性突起３０を有するロック体２６が組み付けられている。
【０００６】
ケース本体１０の側壁１５の内側と、蓋体１１の側壁１９の外側とには、一方に前後方向に長いガイド溝２２を、他方にガイド溝２２に前後摺動自在に係合するスライド軸２１をそれぞれ設けてあり、ケース本体１０と蓋体１１とが、スライド軸２１とガイド溝２２とを介して枢支連結されている。ケース本体１０の背壁１６の左右端と側壁１５の後端との間には、該蓋体１１の側壁１９をロック体２６と共に後方外部へ通過させるためのスリット２３が形成されており、蓋体１１を後方にスライドさせることにより、蓋体１１がケース本体１０に対してスライド軸２１まわりに上開き回動可能に構成されている。
【０００７】
かくしてロック体２６の弾性突起３０は、図１に示すごとくその内端３０ａがケース本体１０の背壁１６の前記スリット２３に臨む側端縁１６ａに接当干渉しないよう内向き突出量を寸法設定する。更に具体的には、ケース本体１０の左右側壁１５と、これの内側に位置する蓋体１１の左右側壁１９との間に、融通隙間Ｇをそれぞれ形成する。ロック体２６は、図３に示すごとく平板状の基部２９に弾性突起３０を一体にプラスチック成形したものとし、蓋体１１の左右側壁１９に、これの外側からそれぞれ一対のロック体２６を組み付け、ロック体２６の基部２９が前記融通隙間Ｇ内において該側壁１９の外側面に当て付けられており、弾性突起３０が該側壁１９の内方に突出するようにしたものである。そのうえで、蓋体１１の上壁１８の後端左右に、前記スリット２３を閉合する部分背壁２５が垂設されており、部分背壁２５の左右幅寸法ａよりもロック体２６の左右幅寸法ｂが小さく寸法設定されている
【０００８】
【作用】
蓋体１１はこれを後方にスライド操作したのち、スライド軸２１まわりに上開き回動できる。これでディスクカートリッジ１の出入口１２の間口が拡大し、ディスクカートリッジ１の出し入れが容易になる。またインデックスカード１３も一緒に出し入れし易くなる。
【０００９】
収納ケースにディスクカートリッジ１を完全に押し込み収納したとき、ロック体２６の弾性突起３０が弾性変形してディスクカートリッジ１の凹部６に弾性係合する。これで収納ケースからディスクカートリッジ１が不用意に抜け外れなくなる。そのために、弾性突起３０は前記凹部６に過不足なく弾性係合するようケース内方へ向かって突出しているが、その内向き突出量には一定の制約がなされている。従って、ケース本体１０に対し蓋体１１を後方にスライド操作したとき、蓋体１１の側壁９と共に弾性突起３０がスリット２３を通過する際に、弾性突起３０の内端３０ａが背壁１６の前記側端縁１６ａと接当干渉することはない。
【００１０】
【発明の実施の形態】
図２において、１は収納対象のディスクカートリッジ、具体的にはＭＤである。ディスクカートリッジ１は、光磁気ディスク２を薄角箱状のハードケース３に内蔵しており、ハードケース３の上下両面の一側に開口した信号読み取り窓４がシャッター５でスライド開閉できる。ハードケース３の下ハーフの左右両側の前端寄り部位の外側面には、位置決め用の凹部６が半長円状に凹設されている。
【００１１】
ディスクカートリッジ１を収納するための収納ケースは、図３に示すようにケース本体１０と蓋体１１とで薄形角箱状に構成してあり、その前面にディスクカートリッジ１の出入口１２が開口している。収納ケースの内部には、ディスクカートリッジ１と共にインデックスカード１３が収納される。
【００１２】
ケース本体１０は、四角形状の底壁１４と、底壁１４の左右端から立設した側壁１５・１５と、底壁１４の後端から立設した背壁１６とを有して、上面および前面が開口するプラスチック成形品からなり、その前面開口部が出入口１２になっている。蓋体１１は、ケース本体１０の上面開口１７の全体を上面側から開閉自在に蓋する上壁１８と、上壁１８の両側の下面側に垂設した左右側壁１９とを有する、透明ないし半透明のプラスチック成形品からなる。上壁１８および底壁１４のそれぞれの前端縁には、ディスクカートリッジ１の後端一部を露出させてこれをつかみ易くするための切欠２０が上下対称に設けられている。
【００１３】
蓋体１１の左右側壁１９は、上壁１８の左右端縁部分１８ａは左右側壁１９よりも外方に庇状に張り出しており、この左右端縁部分１８ａがケース本体１０の左右側壁１５・１５の上端に受け止められる。そして、ケース本体１０の左右側壁１５と、これの内側に位置する蓋体１１の左右側壁１９との間には、図１に示すごとく、後述するガイド溝２２の形成用リブ２２ａの介在により融通隙間Ｇがそれぞれ形成されている。
【００１４】
インデックスカード１３はケース本体１０の底壁１４の内面に沿うように収納される。そのインデックスカード１３は、台紙の片面にタイトルや記録内容の詳細を書き込むためのラベル等を剥離可能に貼り付けてあり、台紙の他面に使用上の注意書き等を印刷してある。図示例では、ケース本体１０の底壁１４と背壁１６とに沿うＬ字形のインデックスカード１３を示した。インデックスカード１３の左右幅寸法は、後述する左右のロック体２６・２６間の左右寸法Ｗよりも小さく設定されている（図２参照）。
【００１５】
ケース本体１０に対して、蓋体１１は次のように枢支連結する。まず図３に示すように、蓋体１１の左右側壁１９の各後部の下端外面にスライド軸２１をそれぞれ外向きに一体に突設し、ケース本体１０の左右側壁１５の後端下部にガイド溝２２を設け、このガイド溝２２にスライド軸２１を前後スライド自在に嵌入係合させる。これでケース本体１０と蓋体１１とは、スライド軸２１とガイド溝２２とを介して回動自在に、かつ前後摺動自在に枢支連結する。図のガイド溝２２は側壁１５の内面にリブ２２ａを環状に突設し、このリブ２２ａで囲まれた内部に前後方向に長く形成した。
【００１６】
蓋体１１は、図４（ａ）に示すように上壁１８の左右端縁部分１８ａがケース本体１０の左右側壁１５の上端面で受け止められて、ケース本体１０の上面開口１７を完全に蓋する閉じ位置と、図４（ｂ）に示すように全体がガイド溝２２に沿って出入口１２から遠ざかる後方にスライド移動した上開き可能位置と、図４（ｃ）に示すように全体が後方スライド位置でスライド軸２１を中心にして上開き回動して上面開口１７を全開する開放位置とに変位できる。蓋体１１を後方にスライド操作させるために、背壁１６の左右端と側壁１５の後端との間には、蓋体１１の側壁１９と後述するロック体２６とを後方外部に通過させるためのスリット２３が設けられている（図１ないし図３参照）。
【００１７】
また蓋体１１が上開き回動するとき、その側壁１９がケース本体１０の底壁１４と接当干渉するのを防ぐために、側壁１９にはスライド軸２１より後ろ側の隣接位置に逆Ｖ字形の切欠２４を設けてある。蓋体１１の上壁１８の後端左右には、閉じ位置において前記スリット２３に嵌合して該スリット２３を閉合するための部分背壁２５がそれぞれ垂設されている。
【００１８】
収納ケースにディスクカートリッジ１を収納した状態において、これが不用意に出入口１２から抜け出ないように位置決め用の凹部６に係合するロック体２６が、蓋体１１の左右側壁１９にそれぞれ組み付けられる。図３においてロック体２６は、前後一対の係合爪２７を突設した平板状の基部２９と、基部２９の下部から内向きに突設した円弧形状または台形状の弾性突起３０とを一体に形成したプラスチック成形品からなる。このロック体２６を側壁１９の後部に外側から圧嵌固定するために、側壁１９のスライド軸２１より後部上方に、係合爪２７が抜け止め状に嵌係合する一対の係合孔３２を設けるとともに、この係合孔３２の下方に弾性突起３０を装填するための装填溝３３を切り欠き形成する。
【００１９】
図７に示すようにロック体２６を側壁１９に圧嵌固定した装着状態において、ロック体２６の基部２９が側壁１９の外側面に当て付けられており、弾性突起３０が装填溝３３を介して側壁１９の内側方に突出し、ディスクカートリッジ１の凹部６に弾性突起３０が弾性変形して係脱自在に弾性係合する。かかるロック体２６は蓋体１１の開閉に伴い側壁１９と共に前後移動してスリット２３内を内外方向に通過する。
【００２０】
左右の各ロック体２６は弾性突起３０がディスクカートリッジ１側の前記凹部６にそれぞれ過不足なく確実に弾性係合するよう内向き突出量を設定してある。但し、蓋体１１の側壁１９と共にロック体２６がスリット２３を通過するとき、各弾性突起３０の内端３０ａがケース本体１０の背壁１６の前記スリット２３に臨む側端縁１６ａに接当干渉しないよう、弾性突起３０の内向き突出量を制約して寸法設定してある。
【００２１】
更に具体的には、図１に示すごとく部分背壁２５の左右幅寸法ａよりもロック体２６の左右幅寸法ｂが小さくなるように寸法設定してある。ここでのロック体２６の左右幅寸法ｂとは、ロック体２６における基部２９の外側面と弾性突起３０の内端３０ａとの間の寸法を意味する。因に、ケース本体１０の左右側壁１５と蓋体１１の左右側壁１９との間の融通隙間Ｇは、ガイド溝２２の形成用リブ２２ａの介在およびスライド溝２１の突っ張り作用で一定に確保されており、ケース本体１０に対する蓋体１１のスライド性能を良好に保証している。ロック体２６の基部２９は融通隙間Ｇ内にあってケース本体１０の側壁１５にこれの端部をも含めて接当干渉することがない。
【００２２】
蓋体１１の前後移動に伴い、ロック体２６がケース本体１０の底壁１４の内面近くを摺動する。その際に、プラスチック製の蓋体１１またはケース本体１０が高温環境下などで内側へ熱変形していると、ロック体２６が底壁１４の内面にこすれて傷を付けることがある。かかるすり傷が蓋体１１の外部から見えると外観的体裁を損なう。そこで、図８に示すごとく蓋体１１の上壁１８の左右端部であって前記ロック体２６の前後摺動領域に対応する箇所（図において点描部分）には、前後全長にわたってシボ模様や、艶消し処理（微小凹凸）、それにストライプ模様などの表面粗面化加工を施すことで、前記ロック体２６によるすり傷を隠せるようにしてある。または、かかるシボ模様や艶消し処理（微小凹凸）などの加工は、左右のロック体２６・２６間の寸法Ｗ、正確には弾性突起３０・３０の内端３０ａ・３０ａ間の寸法Ｗ内におさめられる上記インデックスカード１３の左右両端より外側方へ張り出す上壁１８の左右両端部の前後全長にわたって施せばよい。
【００２３】
蓋体１１は閉じ位置においてケース後方へのスライド遊動を阻止し、かつ上開き回動不能に保持する必要がある。そのために、図５および図６に示すごとくケース本体１０と蓋体１１との間の各融通隙間Ｇには、蓋ロック機構３５を設ける。この蓋ロック機構３５としては、蓋体１１の上壁１８の下面左右の前側寄りに突設した前後一対のロック片３６と、ケース本体１０の左右側壁１５の内面上端寄りに突設した前後一対のロック爪３７とからなる。前端のロック爪３７は断面が逆台形状の突起からなり、後ろ側のロック爪３７は前後方向に長いリブ状に形成する。前端のロック爪３７を利用して、蓋体１１の後方スライドを制限するために、前方のロック片３６にはこれの水平壁部にロック爪３７と弾性係合する突部３８が形成されている。
【００２４】
閉じ位置において、前記突部３８は前方のロック爪３７の前面側に下方から接当係合しており、スライド軸２１はガイド溝２２の前端に位置し、蓋体１１の部分背壁２５がケース本体１０のスリット２３を閉じている。この閉じ状態から、図４（ｂ）に示すごとく蓋体１１をケース後方へ押し込み操作すると、ロック片３６が弾性変形しながら、突部３８がロック爪３７の下面をくぐり抜け、ロック爪３７より後方に位置して、上開き可能位置に切り換わる。このときスライド軸２１はガイド溝２２の後端に位置している。
【００２５】
上開き可能位置においては、蓋体１１をスライド軸２１を中心にして自由に上開き操作でき、上壁１８が水平姿勢から９０度あるいは９０度を越える位置にまで回動できる。このように蓋体１１を上開き回動させた図４（ｃ）の状態では、上面開口１７の全体が開放して出入口１２が大きく拡開するので、ケース本体１０にディスクカートリッジ１やインデックスカード１３を容易に出し入れできる。蓋体１１は、前述した開き手順を逆に行うことによって閉じ位置に戻すことができる。
【００２６】
なお上記実施例に代えて、スライド軸２１は本体ケース１０の側壁１５に形成し、ガイド溝２２を蓋体１１の側壁１９に形成することができる。ガイド溝２２は側壁１５を貫通する長孔形状に形成してもよい。ロック体２６は基部２９を蓋体１１の側壁１９の内側面に貼り付けるなどの組み付け形式をとってもよい。
【００２７】
【発明の効果】
本発明の収納ケースは、前面側に設けた出入口１２からディスクカートリッジ１を出し入れする基本形態を維持しながら、蓋体１１を後方スライドしたのち上開き回動できるようにした。したがって、ディスクカートリッジ１の出し入れ時には、蓋体１１を上開き回動することで出入口１２を大きく拡開させることができ、その出し入れが容易に行える。ディスクカートリッジ１と一緒にインデックスカード１３を出し入れする場合も両者を出し入れし易い。
【００２８】
収納ケースにディスクカートリッジを完全に収納したとき、ロック体２６の弾性突起３０がディスクカートリッジ１側の凹部６に弾性係合し、収納ケースからディスクカートリッジ１が不用意に抜け外れるのを確実に防止する。その一方で、ケース本体１０に対して蓋体１１を前後スライドさせるとき、ケース本体１０側のスリット２３内を蓋体１１の側壁１９と共にロック体２６が通過するが、ロック体２６の弾性突起３０は内向き突出量を規制してあるので、弾性突起３０の内端３０ａがケース本体１０の背壁１６のスリット２３に臨む側端縁１６ａに接当干渉することがない。従って、ケース本体１０に対して蓋体１１を開閉作動させるために、円滑に前後移動できる。
【図面の簡単な説明】
【図１】要部の拡大平面図である。
【図２】収納ケースの内部構造を示す横断平面図である。
【図３】蓋体の開放状態を示す斜視図である。
【図４】（ａ）・（ｂ）・（ｃ）は蓋体を閉じ位置、上開き可能位置、開放位置の各動作位置で示す中央縦断側面図である。
【図５】図２におけるＡ−Ａ線断面図である。
【図６】図２におけるＢ−Ｂ線断面図である。
【図７】図２におけるＣ−Ｃ線断面図である。
【図８】収納ケースの平面図である。
【図９】従来の収納ケースの一部破断平面図である。
【符号の説明】
１  ディスクカートリッジ
６  凹部
１０  ケース本体
１１  蓋体
１２  出入口
１３  インデックスカード
１４  ケース本体の底壁
１５  ケース本体の側壁
１６  ケース本体の背壁
１８  蓋体の上壁
１９  蓋体の側壁
２１  スライド軸
２２  ガイド溝
２３  スリット
２５  蓋体の部分背壁
２６  ロック体
２９  ロック体の基部
３０  ロック体の弾性突起
３０ａ  弾性突起の内端
【図１】
0003755683.tif 000002
【図２】
0003755683.tif 000003
【図３】
0003755683.tif 000004
【図４】
0003755683.tif 000005
【図５】
0003755683.tif 000006
【図６】
0003755683.tif 000007
【図７】
0003755683.tif 000008
【図８】
0003755683.tif 000009
【図９】
0003755683.tif 000010